(57)【特許請求の範囲】
【請求項１】
照明された標識面をトンネル内の壁面に略沿わせて所定間隔で設置されるトンネル内標識において、標識からその設置間隔の略半分の距離離れた位置の方向に対する前記標識の配光を十分目立つ光度とするものであって、
前記標識面を形成するための表示パネルと、この表示パネルの背面側に配置された光源と導光体を有する光源装置とを備え、
前記光源装置はトンネルの略道路長手方向に対して光を照射するように前記光源を設け、
前記導光体は前記光源に臨んだ入射端から先端へ離れるにつれ厚さが薄くなるように形成され、一対の前記導光体を入射端から先端への方向が互いに逆向きになるように配置したトンネル内標識。
【請求項２】
照明された標識面をトンネル内の壁面に略沿わせて所定間隔で設置されるトンネル内標識において、標識からその設置間隔の略半分の距離離れた位置の方向に対する前記標識の配光を十分目立つ光度としたものであって、
標識面を形成するための表示パネルと、この表示パネルの背面側に配置された光源と導光体を有する光源装置とを備え、
前記光源装置はトンネルの略道路長手方向に対して光を照射するように前記光源を設け、
前記表示パネルと前記光源装置との間に、複数の溝状の凹凸をなす凹凸形状部を有する光学部材を介在し、その凹凸の連続する方向をトンネルの略道路長手方向としたトンネル内標識。
【請求項３】
前記凹凸形状部は断面が三角、台形または波形をした溝状であり、断面の奥行き方向に連続または断続的に形成され、かつ前記導光体に向いて配置されている請求項２記載のトンネル内標識。
【請求項４】
照明された標識面をトンネル内の壁面に略沿わせて所定間隔で設置されるトンネル内標識において、標識からその設置間隔の略半分の距離離れた位置の方向に対する前記標識の配光を十分目立つ光度としたものであって、
標識面を形成するための表示パネルと、この表示パネルの背面側に配置された光源と導光体を有する光源装置とを備え、
前記光源装置はトンネルの略道路長手方向に対して光を照射するように前記光源を設け、
前記導光体の前記表示パネル側の表面に複数の溝状の凹凸をなす凹凸形状部を有し、その凹凸の連続する方向をトンネルの略道路長手方向としたトンネル内標識。
【請求項５】
前記凹凸形状部が断面が三角、台形または波形をした溝状であり、前記導光体の前記表示パネルと反対側に拡散処理部を設けた請求項４記載のトンネル内標識。
【発明の詳細な説明】
【０００１】
【発明の属する技術分野】
この発明は、トンネルで利用されるトンネル内標識に関するものである。
【０００２】
【従来の技術】
従来の内照式標識は、標識内に光源（主に蛍光灯）を有し、標識全体が発光することで標識の視認性を向上させている。
【０００３】
また従来のトンネル内誘導標識は、トンネルの出口または避難通路を案内する目的で、トンネル壁面に沿って設置されている。そして反射式と内照式とがあり、非難通路がある場合は必ず内照式でなければならない。
【０００４】
【発明が解決しようとする課題】
内照式標識は、標識の正面（法線上）から見た場合の視認性は満足されるが、法線に対して角度を有して離れる（道路長手方向に離れる）と光度が低くなり視認性が低下した。
【０００５】
トンネル内誘導標識は、内照式標識と同様の発光方式であるため、正面からの視認性は確保しているが、遠方のドライバーは法線に対して角度を有しているため標識を視認することができない。また、反射式は前照灯の光を反射させて発光するため、標識に前照灯の光が適切に入射しなければ運転者に視認されない。
【０００６】
したがって、従来例では、標識と離れた位置に存在する運転者に標識の存在を知らせることができない。また誘導標識は、出口や避難適路がどちらにあるかを早期に知覚させることが設置の目的であるため、遠方からの視認性をできるだけ向上させることが望ましい。
【０００７】
このように、遠方から標識内の文字情報を知覚させることは視角上困難であるため、運転者方向の光度を増加させることで誘目性を向上させ、標識の存在を早期発見させることが必要である。
【０００８】
したがって、この発明の目的は、道路に沿った遠方から標識の存在を視認しやすいトンネル内標識を提供することである。
【０００９】
【課題を解決するための手段】
請求項１記載のトンネル内標識は、照明された標識面をトンネル内の壁面に略沿わせて所定間隔で設置されるトンネル内標識において、標識からその設置間隔の略半分の距離離れた位置の方向に対する前記標識の配光を十分目立つ光度とするものであって、
前記標識面を形成するための表示パネルと、この表示パネルの背面側に配置された光源と導光体を有する光源装置とを備え、
前記光源装置はトンネルの略道路長手方向に対して光を照射するように前記光源を設け、
前記導光体は前記光源に臨んだ入射端から先端へ離れるにつれ厚さが薄くなるように形成され、一対の前記導光体を入射端から先端への方向が互いに逆向きになるように配置したものである。
【００１０】
請求項１記載のトンネル内標識によれば、道路に沿った遠方から標識の存在を容易に視認することができ、トンネルの略道路長手方向遠方からの視認性が向上する。また導光体を用いることで表示面の輝度むらが少なくなる。さらに、導光体は光源に臨んだ入射端から先端へ離れるにつれ厚さが薄くなるように形成され、一対の導光体を入射端から先端への方向が互いに逆向きになるように配置したので、導光体の裏面拡散処理をすることなく輝度むらを向上でき安価にできる。
【００１９】
請求項２記載のトンネル内標識は、照明された標識面をトンネル内の壁面に略沿わせて所定間隔で設置されるトンネル内標識において、標識からその設置間隔の略半分の距離離れた位置の方向に対する前記標識の配光を十分目立つ光度としたものであって、
標識面を形成するための表示パネルと、この表示パネルの背面側に配置された光源と導光体を有する光源装置とを備え、
前記光源装置はトンネルの略道路長手方向に対して光を照射するように前記光源を設け、
前記表示パネルと前記光源装置との間に、複数の溝状の凹凸をなす凹凸形状部を有する光学部材を介在し、その凹凸の連続する方向をトンネルの略道路長手方向としたものである。
【００２０】
請求項２記載のトンネル内標識によれば、道路に沿った遠方から標識の存在を容易に視認することができ、トンネルの略道路長手方向遠方からの視認性が向上する。また導光体を用いることで表示面の輝度むらが少なくなる。
【００２１】
請求項３記載のトンネル内標識は、請求項２において、前記凹凸形状部が断面が三角、台形または波形をした溝状であり、断面の奥行き方向に連続または断続的に形成され、かつ前記導光体に向いて配置されているものである。
【００２２】
請求項３記載のトンネル内標識によれば、請求項２と同様な効果がある。
【００２３】
請求項４記載のトンネル内標識は、照明された標識面をトンネル内の壁面に略沿わせて所定間隔で設置されるトンネル内標識において、標識からその設置間隔の略半分の距離離れた位置の方向に対する前記標識の配光を十分目立つ光度としたものであって、
標識面を形成するための表示パネルと、この表示パネルの背面側に配置された光源と導光体を有する光源装置とを備え、
前記光源装置はトンネルの略道路長手方向に対して光を照射するように前記光源を設け、
前記導光体の前記表示パネル側の表面に複数の溝状の凹凸をなす凹凸形状部を有し、その凹凸の連続する方向をトンネルの略道路長手方向としたものである。
【００２４】
請求項４記載のトンネル内標識によれば、道路に沿った遠方から標識の存在を容易に視認することができ、トンネルの略道路長手方向遠方からの視認性が向上する。また導光体を用いることで表示面の輝度むらが少なくなる。さらに部品点数が削減でき構成が簡単になるため安価にできる。
【００２５】
請求項５記載のトンネル内標識は、請求項４において、前記凹凸形状部が断面が三角、台形または波形をした溝状であり、前記導光体の前記表示パネルと反対側に拡散処理部を設けたものである。
【００２６】
請求項５記載のトンネル内標識によれば、請求項４と同様な効果がある。
【００２７】
【発明の実施の形態】
この発明の第１の実施の形態を図１および図２に示す。図１において、トンネル内標識１は、照明された標識面１ａをトンネル６内の壁面２に略沿わせて所定間隔で複数設置される。この標識１からその設置間隔Ｓの略半分の距離離れた位置Ｐの方向Ａに対する標識１の配光を略０．８ｃｄ程度以上、略２２０ｃｄ程度以下となるように、標識１に光源を配置している。位置Ｐの壁面２からの距離Ｇとすると、方向Ａの角度Ｄはtan -1｛G/(S/2) ｝である。
【００２８】
このように、トンネル６の略道路長手方向に離れた位置から標識１の誘目性が得られるよう、最大観測距離である標識１の設置間隔の半分の距離離れた位置の方向の光度を十分目立つレべルの光度にすることにした。また、光度を増加させると誘目性が上昇するが、過剰に上昇させすぎるとまぶしさ（グレア）になってしまうため、まぶしく感じない程度に光度を抑えることにした。
【００２９】
なお、十分目立つ光度、及びまぶしく感じない光度については、次のような実験を実施して算出した。すなわち、実験環境は、夜間の実際の路上に発光体を設置し、その発光体の光度を変化させた状態を道路上または道路沿いに４０ｍ先から観測する。評価解析は、誘目性については「全く目立たない」〜「非常に目立つ」の５段階評価をし、「目立つ」、「非常に目立つ」と回答された累積確率７５％を採用し、そのときのほぼ最小値を０．８ｃｄとした。グレアについては「全くまぶしくない」〜「まぶしくて不快である」の５段階評価をし、まぶしいと感じた回答の累積確率２５％（逆に言えばまぶしくない累積確率７５％）を採用し、そのときのほぼ最大値を２２０ｃｄとした。
【００３０】
図２はトンネル内標識１の構造を示す。１ａは標識面、３は発光体、４は発光体３の樹脂製の透明板による窓、５は発光体３の例えば発光ダイオード（ＬＥＤ）、７は窓４を形成する側壁、８は発光体支持部である。標識１の側面中央に透明板による窓４が設置され、その内部に道路長手方向に向けて発光体３である砲弾型ＬＥＤが設置されている。
【００３１】
すなわち、標識１の厚み部分（標識面１ａに対して略垂直な面の幅）内に発光体３が設置され、発光体３の配光特性は、図１（ｂ）に示すように標識面１ａに対して道路長手方向の指向性を有し、標識面１ａに対する道路横断方向に光を略出さない構成となっている。
【００３２】
道路上の遠方から標識を見た場合、標識面１ａの見かけの面積が微小になり、十分な視認性が確保できない。そこで標識１の厚み部分に、道路長手方向に指向性を持つ発光体３を設置することで、遠方からの視認性を確保することができる。
【００３３】
第１の実施の形態によれば、従来例の標識に比べ、遠方からの誘目性に優れているため、事故発生時、避難者に適切に標識情報を知覚させ、効率よく避難させることが可能である。
【００３４】
図３から図９は第１の実施の形態の変形形態である。
【００３５】
図３および図４の実施の形態は、標識１の側面の上端と下端に、透明樹脂による窓４が設置され、その内部に道路長手方向に向けて発光体３である砲弾型ＬＥＤが設置されている。図４はその配向特性である。
【００３６】
図５の実施の形態は、標識１の側面中央に透明樹脂による導光体９が設置され、その導光体９の上端と下端に発光体３である表面実装型ＬＥＤが設置されている標識である。
【００３７】
図６の実施の形態は、標識１の側面に発光体３である冷陰極ランプと反射板１０が設置されている標識である。
【００３８】
図７の実施の形態は、標識１の側面に発光体３である蛍光ランプと反射板１０が設置されている標識である。
【００３９】
図８の実施の形態は、標識１の上面中央と下面中央に、周面をなす樹脂製透明部１１ａと端面をなす樹脂製不透過部１１ｂを組み合わせた略半円筒状の発光部１１が設置されている標識である。発光部１１の内部には、道路長手方向に向けて発光体３である砲弾型ＬＥＤが設置されている。
【００４０】
図９の実施の形態は、図８において、発光部１１の内部には、上方もしくは下方を向いた砲弾型ＬＥＤ（３）と、道路に沿う方向に反射する反射板１５が設置されている。
【００４１】
この発明の第２の実施の形態を図１０および図１１に示す。このトンネル内標識は、大まかに、外形筐体２０、板状で透明の例えばプラスチック、例えばアクリル、やガラス等の導光板１８、表示パネル１６、反射シート２１、光源１７としてランプ例えばＨｆランプとこれを囲む反射板１７ａ、光源１７を点灯させる安定器２２、非常用のバッテリ２３により構成されている。ここでは、外形筐体２０が横１３２０ｍｍ、縦７２０ｍｍ、厚さ１００ｍｍであり、その内部に横１２００ｍｍ、縦６００ｍｍ、厚さ３５ｍｍの導光体１８を設置しており、導光体１８の裏面には拡散のための例えばドットパターンが印刷された拡散処理部３０が形成されている。反射シート２１は導光体１８の裏面に配置される。光源１７は導光体１８のトンネルの略道路長手方向端面に設置している。安定器２２およびバッテリ２３も筐体２０内に収納されている。
【００４２】
このようにして標識面１ａを表示パネル１６に形成し、この表示パネル１６の背面には光源１７と導光体１８とを備えた光源装置を有し、光源装置はトンネルの略道路長手方向に対して光を照射するように光源１７を設けている。
【００４３】
この構造において、光源１７から出た光は導光体１８内に入射し、表示パネル１６の表面である標識面１ａより、トンネルの略道路長手方向へ向けて多くの光が導光される。このため導光体１８の内部の例えばドットパターンによる拡散処理部３０にて散乱させられる場合、拡散もされるがトンネルの略道路長手方向の指向性ももっており、この状態で光は導光体１８外へ射出される。すなわち、この配光は図１０（ｂ）に示すように表示パネル１６の標識面１ａで若干配光がなまるものの、従来の配光特性を示す図１０（ｃ）と比べてトンネルの略道路長手方向への配光性をもっており、斜め方向に多く光を出す。
【００４４】
これにより、トンネルの略道路長手方向遠方からの視認性が向上する。また導光体１８を使用することで表示面の輝度むらが少ない。
【００４５】
この発明の第３の実施の形態を図１２および図１３に示す。第２の実施の形態と異なる点は、光源１７として発光ダイオード（ＬＥＤ）を用い、導光体は一対の導光体１８ａ、１８ｂからなり、それぞれくさび型の形状をしており、横６００ｍｍ、縦６００ｍｍ、最大厚さ３５ｍｍとしていることである。くさび型の導光板１８ａ、１８ｂを、その傾斜面２５側を表示パネル１６側にして細い方をつきあわせる形で２枚設置し、導光体１８ａ、１８ｂのトンネルの略道路長手方向端面に光源１７を設置している。その他は第１の実施の形態と同様である。
【００４６】
このように、このトンネル内標識１は、その導光体１８ａ、１８ｂが光源１７に臨んだ入射端から先端へ離れるにつれ厚さが薄くなるように形成され、一対の導光体１８ａ、１８ｂを入射端から先端への方向が互いに逆向きとなるように配置している。
【００４７】
この構造において、光源１７から出た光は導光体１８ａ、１８ｂ内へ矢印のように入射し、内部で反射を繰り返している間に光線と導光体１８ａ、１８ｂの表面との角度は大きくなっていく。このため、光線は臨界角より小さくなり射出されることになる。この射出される角度はトンネルの略道路長手方向に近い角度となる。この配光は図１２（ｂ）に示すように表示パネル１６の標識面１ａで若干配光がなまるもののトンネルの略道路長手方向への指向性をもっており、配光のように斜め方向に多く光を出す。
【００４８】
これにより、トンネルの略道路長手方向遠方からの視認性が向上する。また導光体１８ａ、１８ｂを使用することで表示面の輝度むらが少ない。さらに、導光体１８ａ、１８ｂの裏面拡散処理をする必要がないため、安価となる。
【００４９】
図１４から図１７は、上記した第３の実施の形態のトンネル内標識の構造とほほ同じ形態の変形形態である。
【００５０】
図１４および図１５の実施の形態は、導光体１８ａ、１８ｂの設置方向のみが異なっており、くさび型の傾斜面２５を表示パネル１６とは逆向きになるように設置し、傾斜面２５に反射シート２１を設けている。配光も第３の実施の形態と同様であり、斜め方向に多く光を出す。なお、光源１７は第３の実施の形態を含め蛍光ランプ等のランプを用いてもよい。
【００５１】
図１６および図１７の実施の形態が第３の実施の形態と異なる点は、導光体１８ａ、１８ｂがくさび型の形状をしており、例えば横５８０ｍｍ、縦６００ｍｍ、最大厚さ３５ｍｍである。このくさび型の導光板１８ａ、１８ｂを、傾斜面２５側が表示パネル１６側と逆向きにして細い方を器具端面方向にむける形で外形筐体２０内に２枚設置している。また光源１７としてランプ例えばＨｆランプを使用し、安定器２２で点灯する。この光源１７を器具中央にトンネルの略道路長手方向と直交するように縦に設置し、光源１７は導光体１８ａ、１８ｂの太端部により囲まれている。ここで光源１８ａ、１８ｂの表示パネル１６側にはハーフミラー２６を配置し、反対側には反射板２７を配置している。光源１７の表示パネル１６側には一部透過光を有する例えばハーフミラー２６を設置することで、透過光を抑えパネル面の輝度の大きい部分をなくしている。配光特性も図１２（ｂ）と同様であり、斜め方向に多く光を出している。
【００５２】
この発明の第４の実施の形態を図１８に示す。第２の実施の形態と異なる点は、光源１７と均一発光させるための導光体１８からなる光源装置の前面と表示パネル１６との間に、表面に複数の溝状の凹凸のある凹凸形状部を有する光学部材（プリズムシート）３１を介在し、凹凸の連続する方向を光源１７の照射方向として配置していることである。光学部材の凹凸形状部は、例えば断面が三角、台形もしくは波形をした溝状（樋状）の形態で、互いに隣接して複数形成されている。この断面形状は断面の奥行き方向にむかって幅全面連続もしくは断続的に形成されている。したがって、この実施の形態は光学部材３１の凹凸形状部を導光体１８側に向けて光の照射方向に略直交する方向に溝状形状を略沿わせた点に特徴がある。
【００５３】
具体的には、導光体１８と表示パネル１６の間に三角形状の並んだプリズムの光学部材３１をその凸部を導光体１８側に向けて設置している。このプリズムの１つの断面形状は図１８（ｃ）に示すようにベース肉厚０．８ｍｍ、幅２ｍｍ、高さ１ｍｍである。その他は第２の実施の形態と同様であるく。
【００５４】
この構造において、光源１７から出た光は導光体１８内へ入射し、内部で反射を繰り返している間に導光体１８の裏面の拡散処理部のトッントパターン３０へ当たり散乱される。ここで散乱された光のうち導光体１８の表面の臨界角より小さくなった光は導光体１８の外部へ射出される。この光が次の光学部材３１のプリズム面でトンネルの略道路長手方向へ曲げられる。この配光は図１８（ｄ）に示すように、表示パネル１６の標識面１ａで若干配光がなまるもののトンネルの略道路長手方向への指向性をもっている。
【００５５】
これにより、トンネルの略道路長手方向の遠方からの視認性が向上する。また導光体１８を使用することで表示面の輝度むらが少ない。
【００５６】
図１９から図２１は第３の実施の形態の変形形態である。
【００５７】
図１９の実施の形態は、光学部材３１であるプリズムの断面形状のみ異なる。ここでは、導光体１８と表示パネル１６の間に断面台形形状の並んだプリズムをその凸部が導光体１８の方向に向けて設置している。このプリズムの１つの断面形状は図１９（ｂ）に示すようにベース肉厚０．８ｍｍ、台形下辺幅２ｍｍ、台形上辺幅０．２ｍｍ（凸部方向）、高さ０．９ｍｍである。配光は図１９（ｃ）に示すように、標識面１ａの斜め方向に光が多く射出され、さらにプリズムの台形の上端の平滑部から正面方向へ射出される光が多くなる。このように正面方向への光が多いため、トンネルの略道路長手方向遠方だけではなく、正面方向近傍でも視認性が確保できる。
【００５８】
図２０の実施の形態も、プリズムの断面形状のみ異なる。ここでは、導光体１８と表示パネル１６の間には波形形状の並んだ光学部材３１のプリズムを凸部が導光体１８側に向くように設置している。このプリズムの１つの断面形状はベース肉厚０．８ｍｍ、表面形状はｓｉｎ波形であり、頂点から下点高さ（振幅）１ｍｍ、頂点から下点までの横幅２ｍｍである。配光は、図２０（ｃ）に示すように、標識面１ａの斜め方向に光が多く射出され、さらに波部の頂点部、下点部から正面方向へ射出される光が多くなり、図１９の実施の形態と同様に近距離での視認性があがる。
【００５９】
図２１の実施の形態は、プリズムの断面形状ではなく断面の奥行き方向の連続性が異なる。すなわち、図２１（ａ）、（ｂ）は第４の実施の形態の光学部材３１であるが、断面の奥行き方向は連続している。この変形の実施の形態では、図２１（ｃ）、（ｄ）に示すように、光学部材３１のプリズムの奥行き方向は、例えば奥行き６００ｍｍを４分割し、１５０ｍｍごとの樋状の並び方向に交互に凹に凸が位置するようにずれた立体形状（分割樋状）をもつ。その他は第４の実施の形態と同様である。
【００６０】
この発明の第５の実施の形態を図２２から図２４に示す。第２の実施の形態と異なる点は、導光体１８の表示パネル１６側の表面に複数の溝状の凹凸をなす凹凸形状部３３を有し、その凹凸の連続する方向をトンネルの略道路長手方向としている。実施の形態では、凹凸形状部３３が三角、もしくは台形もしくは波形をした溝状（樋状）の形態のプリズムであり互いに隣接して複数、光の照射方向に略直交方向に前記溝状形状を略沿わせて形成し、その裏面にはドット印刷、レーザーパターン、微細加工などの拡散処理部３０を施している。プリズムの１つの断面形状は図２４（ｂ）に示すように幅２ｍｍ、高さ１ｍｍである。また光源１７は、例えばＨｆランプを導光体１８のトンネルの略道路長手方向に平行にし、器具上部および下部の導光体１８の端面に設置している。その他は第２の実施の形態と同様である。
【００６１】
この構造において、光源１７はトンネルの略道路長手方向に沿って配置されており、光源１７から出た光は導光体１８内へ入射し、内部で反射を繰り返している間に導光体１８の裏面の拡散処理部３０へ当たり散乱される。ここで散乱された光のうち導光体１８の表面の臨界角より小さくなった光は導光体１８の外部へ射出される。このとき導光体１８の表面部に形成されたプリズム形状によりトンネルの略道路長手方向へ曲げられる。この配光は図２４（ｃ）に示すように、表示パネル１６の標識面１ａで若干配光がなまるもののトンネルの略道路長手方向への指向性をもっている。
【００６２】
これにより、トンネルの略道路長手方向遠方からの視認性が向上する。また導光体１８を使用することで表示面の輝度むらが少ない。さらに第４の実施の形態と比べて部材を少なくでき、構成が簡単となるため安価にできる。
【００６３】
図２５および図２６は実施の形態の変形形態である。
【００６４】
図２５の実施の形態は、導光体１８のプリズム断面形状のみ異なる。ここでは、導光体１８の表面に刻まれた凹凸形状部３３であるプリズム断面形状が台形形状の並んだものである。このプリズムの１つの断面形状は例えば図２５（ｂ）に示すように台形下辺幅２ｍｍ、台形上辺幅０．２ｍｍ（凸部方向）、高さ０．９ｍｍである。この実施の形態では、斜め方向に光が多く射出されるのみならず、台形の上端の平滑部から正面方向へ射出される光が多くなるため図２５（ｃ）に示す配光のようになり、特に近距離での視認性があがる。
【００６５】
図２６に示す実施の形態は、導光体１８のプリズム断面形状のみ異なる。ここでは、導光体１８の表面に刻まれたプリズム断面形状が波形形状の並んだものである。このプリズムの１つの断面形状は表面がｓｉｎ波形であり、図２６（ｂ）に示すように例えば頂点から下点までの高さ（振幅）１ｍｍ、頂点から下点までの横幅２ｍｍである。この実施の形態では、斜め方向に光が多く射出されるのみならず、波形部の頂点および下点部から正面方向へ射出される光が多くなるため図２６（ｃ）に示す配光のようになり、特に近距離での視認性があがる。
【００６６】
【発明の効果】
請求項１記載のトンネル内標識によれば、道路に沿った遠方から標識の存在を容易に視認することができ、トンネルの略道路長手方向遠方からの視認性が向上する。また導光体を用いることで表示面の輝度むらが少なくなる。さらに、導光体は光源に臨んだ入射端から先端へ離れるにつれ厚さが薄くなるように形成され、一対の導光体を入射端から先端への方向が互いに逆向きになるように配置したので、導光体の裏面拡散処理をすることなく輝度むらを向上でき安価にできる。
【００７１】
請求項２記載のトンネル内標識によれば、道路に沿った遠方から標識の存在を容易に視認することができ、トンネルの略道路長手方向遠方からの視認性が向上する。また導光体を用いることで表示面の輝度むらが少なくなる。
【００７２】
請求項３記載のトンネル内標識によれば、請求項２と同様な効果がある。
【００７３】
請求項４記載のトンネル内標識によれば、道路に沿った遠方から標識の存在を容易に視認することができ、トンネルの略道路長手方向遠方からの視認性が向上する。また導光体を用いることで表示面の輝度むらが少なくなる。さらに部品点数が削減でき構成が簡単になるため安価にできる。
【００７４】
請求項５記載のトンネル内標識によれば、請求項４と同様な効果がある。
【図面の簡単な説明】
【図１】（ａ）は本発明の第１の実施の形態におけるトンネル内標識の設置されたトンネルの道路長手方向の説明図、（ｂ）はトンネル内標識の配光特性図である。
【図２】（ａ）はトンネル内標識の斜視図、（ｂ）はその発光部の断面図である。
【図３】変形の実施の形態を示し、（ａ）はトンネル内標識の斜視図、（ｂ）はその発光部の断面図である。
【図４】そのトンネル内標識の配光特性図である。
【図５】変形の実施の形態を示し、（ａ）はトンネル内標識の斜視図、（ｂ）はその発光部の断面図である。
【図６】変形の実施の形態を示し、（ａ）はトンネル内標識の斜視図、（ｂ）はその発光部の上面図である。
【図７】変形の実施の形態を示し、（ａ）はトンネル内標識の斜視図、（ｂ）はその発光部の上面図である。
【図８】変形の実施の形態を示し、（ａ）はトンネル内標識の斜視図、（ｂ）は発光部の拡大斜視図、（ｃ）は発光部の断面図である。
【図９】変形の実施の形態を示し、（ａ）はトンネル内標識の斜視図、（ｂ）は発光部の拡大斜視図、（ｃ）は発光部の断面図である。
【図１０】第２の実施の形態を示し、（ａ）はトンネル内標識の光源装置部分の詳細な横断面図、（ｂ）はその配光特性図、（ｃ）は従来の配光特性図である。
【図１１】（ａ）はトンネル内標識の正面図、（ｂ）はその横断面図である。
【図１２】第３の実施の形態を示し、（ａ）はトンネル内標識の光源装置部分の詳細な横断面図、（ｂ）はその配光特性図、（ｃ）は従来の配光特性図である。
【図１３】（ａ）はトンネル内標識の横断面図、（ｂ）はその部分拡大図である。
【図１４】変形形態の光源装置部分の横断面図である。
【図１５】（ａ）はそのトンネル内標識の横断面図、（ｂ）はその部分拡大図である。
【図１６】別の変形形態の光源装置部分の横断面図である。
【図１７】（ａ）はそのトンネル内標識の横断面図、（ｂ）はその部分拡大図である。
【図１８】第４の実施の形態を示し、（ａ）はトンネル内標識の横断面図、（ｂ）はその部分拡大図、（ｃ）はそのプリズムの部分拡大図、（ｄ）は配光特性図である。
【図１９】変形の実施の形態を示し、（ａ）は光学装置部分の概略部分断面図、（ｂ）はそのプリズムの部分拡大図、（ｃ）は配光特性図である。
【図２０】別の変形の実施の形態を示し、（ａ）は光学装置部分の概略部分断面図、（ｂ）はそのプリズムの部分拡大図、（ｃ）は配光特性図である。
【図２１】さらに別の変形の実施の形態を示し、（ａ）は第４の実施の形態の光学部材の平面図  、（ｂ）はその斜視図、（ｃ）は変形の実施の形態の光学部材の平面図、（ｄ）はその斜視図である。
【図２２】第５の実施の形態の導光体の正面図である。
【図２３】（ａ）はトンネル内標識の正面図、（ｂ）はその横断面図、（ｃ）は縦断面図である。
【図２４】（ａ）はその光源装置の部分拡大図、（ｂ）はその導光体の部分拡大図、（ｃ）は配光特性図である。
【図２５】変形の実施の形態を示し、（ａ）はその光源装置の部分拡大図、（ｂ）はその導光体の部分拡大図、（ｃ）は配光特性図である。
【図２６】別の変形の実施の形態を示し、（ａ）はその光源装置の部分拡大図、（ｂ）はその導光体の部分拡大図、（ｃ）は配光特性図である。
【符号の説明】
１    トンネル内標識
２    壁面
３    発光体
１６    表示パネル
１７    光源
１８    導光体
１８ａ    導光体
１８ｂ    導光体
３０    拡散処理部
３１    光学部材
３１ａ    光学部材
３３    凹凸形状部
【図１】
0003829638.tif 000002
【図２】
0003829638.tif 000003
【図３】
0003829638.tif 000004
【図４】
0003829638.tif 000005
【図５】
0003829638.tif 000006
【図６】
0003829638.tif 000007
【図７】
0003829638.tif 000008
【図８】
0003829638.tif 000009
【図９】
0003829638.tif 000010
【図１０】
0003829638.tif 000011
【図１１】
0003829638.tif 000012
【図１２】
0003829638.tif 000013
【図１３】
0003829638.tif 000014
【図１４】
0003829638.tif 000015
【図１５】
0003829638.tif 000016
【図１６】
0003829638.tif 000017
【図１７】
0003829638.tif 000018
【図１８】
0003829638.tif 000019
【図１９】
0003829638.tif 000020
【図２０】
0003829638.tif 000021
【図２１】
0003829638.tif 000022
【図２２】
0003829638.tif 000023
【図２３】
0003829638.tif 000024
【図２４】
0003829638.tif 000025
【図２５】
0003829638.tif 000026
【図２６】
0003829638.tif 000027